(57)【要約】【課題】高温の記録ヘッドに人体が接触することを防止することができる記録装置、その制御方法、制御プログラム及び記録媒体を提供する。【解決手段】プリンタ１０は、記録ヘッドを覆う開閉可能なカバー１１ａと、通電によりカバー１１ａを閉状態に固定する電磁石８１、８２とを備え、記録ヘッドの温度検出用の温度センサの検出温度に基づいて、記録ヘッドの温度が設定温度以上の場合、電磁石８１、８２によりカバー１１ａを閉状態に固定する。【選択図】      図４
2004351688.tif 000002
【特許請求の範囲】
【請求項１】
キャリッジを移動させて、このキャリッジに載置された記録ヘッドでシートに画像を記録する記録装置において、
前記キャリッジの移動領域を覆う開閉可能なカバーを備え、
前記記録ヘッドの温度が予め定めた設定温度以上の場合、前記カバーを閉状態或いは所定角度以上開かない状態に保持する保持手段を備えたことを特徴とする記録装置。
【請求項２】
キャリッジを移動させて、このキャリッジに載置された記録ヘッドでシートに画像を記録する記録装置において、
前記キャリッジの移動領域を覆う開閉可能なカバーを備え、前記記録ヘッドの温度が予め定めた設定温度以上で、前記カバーが閉状態から開操作された場合に、前記カバーを所定角度以上開かない状態に保持する保持手段を備えたことを特徴とする記録装置。
【請求項３】
前記記録ヘッドの温度を検出する温度センサを備え、
前記保持手段は、該温度センサの検出温度に基づいて前記カバーを閉状態或いは前記所定角度以上開かない状態に保持することを特徴とする請求項１又は２に記載の記録装置。
【請求項４】
前記保持手段は、通電により前記カバーと記録装置本体とを引きつけて保持する電磁石であることを特徴とする請求項１乃至３のいずれかに記載の記録装置。
【請求項５】
前記保持手段は、前記カバーと記録装置本体とをロック可能なロック機構と、前記カバー側若しくは記録装置本体側に設けたロック解除操作子の操作を検出する検出手段と、前記記録ヘッドの温度が設定温度以上、かつ、前記ロック解除操作子の操作が検出されたときにロック解除を禁止するロック解除禁止機構とを有することを特徴とする請求項１乃至３のいずれかに記載の記録装置。
【請求項６】
キャリッジの移動領域を覆う開閉可能なカバーを備え、キャリッジを移動させて、このキャリッジに載置された記録ヘッドでシートに画像を記録する記録装置の制御方法において、
前記記録ヘッドの温度が予め定めた設定温度以上か否かを判定し、
前記記録ヘッドの温度が前記設定温度以上の場合、前記カバーを閉状態或いは所定角度以上開かない状態に保持させることを特徴とする記録装置の制御方法。
【請求項７】
キャリッジの移動領域を覆う開閉可能なカバーを備え、キャリッジを移動させて、このキャリッジに載置された記録ヘッドでシートに画像を記録する記録装置の制御方法において、
前記カバーが閉状態から開操作されたか否かを判定し、
前記カバーが閉状態から開操作され、かつ、前記記録ヘッドの温度が予め定めた設定温度以上の場合に、前記カバーを所定角度以上開かない状態に保持させることを特徴とする記録装置の制御方法。
【請求項８】
前記カバーと記録装置本体とをロックするロック機構のロック解除操作子が操作されたか否かを判定し、
該ロック解除操作子が操作され、かつ、前記記録ヘッドの温度が前記設定温度以上の場合に、前記ロック機構によるロックの解除を禁止させるロック解除禁止機構を作動させることを特徴とする請求項６又は７に記載の記録装置の制御方法。
【請求項９】
キャリッジの移動領域を覆う開閉可能なカバーを備え、キャリッジを移動させて、このキャリッジに載置された記録ヘッドでシートに画像を記録する記録装置をコンピュータにより制御するための制御プログラムにおいて、
前記記録ヘッドの温度が予め定めた設定温度以上か否かを判定し、
前記記録ヘッドの温度が前記設定温度以上の場合、前記カバーを閉状態或いは所定角度以上開かない状態に保持させることを特徴とする制御プログラム。
【請求項１０】
キャリッジの移動領域を覆う開閉可能なカバーを備え、キャリッジを移動させて、このキャリッジに載置された記録ヘッドでシートに画像を記録する記録装置をコンピュータにより制御するための制御プログラムにおいて、
前記カバーが閉状態から開操作されたか否かを判定し、
前記カバーが閉状態から開操作され、かつ、前記記録ヘッドの温度が予め定めた設定温度以上の場合に、前記カバーを所定角度以上開かない状態に保持させることを特徴とする制御プログラム。
【請求項１１】
前記カバーと記録装置本体とをロックするロック機構のロック解除操作子が操作されたか否かを判定し、
該ロック解除操作子が操作され、かつ、前記記録ヘッドの温度が前記設定温度以上の場合に、前記ロック機構によるロックの解除を禁止させるロック解除禁止機構を作動させることを特徴とする請求項９又は１０に記載の制御プログラム。
【請求項１２】
キャリッジの移動領域を覆う開閉可能なカバーを備え、キャリッジを移動させて、このキャリッジに載置された記録ヘッドでシートに画像を記録する記録装置をコンピュータにより制御するための制御プログラムを記録した記録媒体において、
前記記録ヘッドの温度が予め定めた設定温度以上か否かを判定し、
前記記録ヘッドの温度が前記設定温度以上の場合、前記カバーを閉状態或いは所定角度以上開かない状態に保持させるための制御プログラムを記録したことを特徴とするコンピュータ読み取り可能な記録媒体。
【請求項１３】
キャリッジの移動領域を覆う開閉可能なカバーを備え、キャリッジを移動させて、このキャリッジに載置された記録ヘッドでシートに画像を記録する記録装置をコンピュータにより制御するための制御プログラムを記録した記録媒体において、
前記カバーが閉状態から開操作されたか否かを判定し、
前記カバーが閉状態から開操作され、かつ、前記記録ヘッドの温度が予め定めた設定温度以上の場合に、前記カバーを所定角度以上開かない状態に保持させるための制御プログラムを記録したことを特徴とするコンピュータ読み取り可能な記録媒体。
【請求項１４】
前記カバーと記録装置本体とをロックするロック機構のロック解除操作子が操作されたか否かを判定し、
該ロック解除操作子が操作され、かつ、前記記録ヘッドの温度が前記設定温度以上の場合に、前記ロック機構によるロックの解除を禁止させるロック解除禁止機構を作動させるための制御プログラムを記録したことを特徴とする請求項１２又は１３に記載のコンピュータ読み取り可能な記録媒体。
【発明の詳細な説明】
【０００１】
【発明の属する技術分野】
本発明は、キャリッジの移動領域を覆う開閉可能なカバーを有する記録装置、その制御方法、制御プログラム及び記録媒体に関する。
【０００２】
【従来の技術】
従来より、キャリッジを移動させてキャリッジに搭載された記録ヘッドにより画像を記録するドットインパクトプリンタやインクジェットプリンタが知られている。この種の記録装置は、記録ヘッドなどを覆うカバーが開閉可能に構成され、このカバーを開けることによって、リボンカートリッジの交換や各種メンテナンスが可能となっている（例えば、特許文献１）。
【０００３】
【特許文献１】
特開平１１−１３８９４７号公報
【０００４】
【発明が解決しようとする課題】
しかしながら、記録ヘッドは発熱するため、記録ヘッドが高温の場合にカバーが開けられると、高温の記録ヘッドに人体が接触するおそれがある。
【０００５】
そこで、本発明の目的は、上述した従来の技術が有する課題を解消し、高温の記録ヘッドに人体が接触することを防止することができる記録装置、その制御方法、制御プログラム及び記録媒体を提供することを目的とする。
【０００６】
【課題を解決するための手段】
上述課題を解決するため、請求項１に記載の発明は、キャリッジを移動させて、このキャリッジに載置された記録ヘッドでシートに画像を記録する記録装置において、前記キャリッジの移動領域を覆う開閉可能なカバーを備え、前記記録ヘッドの温度が予め定めた設定温度以上の場合、前記カバーを閉状態或いは所定角度以上開かない状態に保持する保持手段を備えたことを特徴とする。
【０００７】
また、請求項２に記載の発明は、請求項１に記載の構成において、キャリッジを移動させて、このキャリッジに載置された記録ヘッドでシートに画像を記録する記録装置において、前記キャリッジの移動領域を覆う開閉可能なカバーを備え、前記記録ヘッドの温度が予め定めた設定温度以上で、前記カバーが閉状態から開操作された場合に、前記カバーを所定角度以上開かない状態に保持する保持手段を備えたことを特徴とする。
【０００８】
また、請求項３に記載の発明は、請求項１又は２に記載の構成において、前記記録ヘッドの温度を検出する温度センサを備え、前記保持手段は、該温度センサの検出温度に基づいて前記カバーを閉状態或いは前記所定角度以上開かない状態に保持する。
【０００９】
また、請求項４に記載の発明は、請求項１乃至３のいずれかに記載の構成において、通電により前記カバーと記録装置本体とを引きつけて保持する電磁石であることを特徴とする。
【００１０】
また、請求項５に記載の発明は、請求項１乃至３のいずれかに記載の構成において、前記保持手段は、前記カバーと記録装置本体とをロック可能なロック機構と、前記カバー側若しくは記録装置本体側に設けたロック解除操作子の操作を検出する検出手段と、前記記録ヘッドの温度が設定温度以上、かつ、前記ロック解除操作子の操作が検出されたときにロック解除を禁止するロック解除禁止機構とを有することを特徴とする。
【００１１】
また、請求項６に記載の発明は、キャリッジの移動領域を覆う開閉可能なカバーを備え、キャリッジを移動させて、このキャリッジに載置された記録ヘッドでシートに画像を記録する記録装置の制御方法において、前記記録ヘッドの温度が予め定めた設定温度以上か否かを判定し、前記記録ヘッドの温度が前記設定温度以上の場合、前記カバーを閉状態或いは所定角度以上開かない状態に保持させることを特徴とする。
【００１２】
また、請求項７に記載の発明は、キャリッジの移動領域を覆う開閉可能なカバーを備え、キャリッジを移動させて、このキャリッジに載置された記録ヘッドでシートに画像を記録する記録装置の制御方法において、前記カバーが閉状態から開操作されたか否かを判定し、前記カバーが閉状態から開操作され、かつ、前記記録ヘッドの温度が予め定めた設定温度以上の場合に、前記カバーを所定角度以上開かない状態に保持させることを特徴とする。
【００１３】
また、請求項８に記載の発明は、請求項６又は７に記載の構成において、前記カバーと記録装置本体とをロックするロック機構のロック解除操作子が操作されたか否かを判定し、該ロック解除操作子が操作され、かつ、前記記録ヘッドの温度が前記設定温度以上の場合に、前記ロック機構によるロックの解除を禁止させるロック解除禁止機構を作動させることを特徴とする。
【００１４】
また、請求項９に記載の発明は、キャリッジの移動領域を覆う開閉可能なカバーを備え、キャリッジを移動させて、このキャリッジに載置された記録ヘッドでシートに画像を記録する記録装置をコンピュータにより制御するための制御プログラムにおいて、前記記録ヘッドの温度が予め定めた設定温度以上か否かを判定し、前記記録ヘッドの温度が前記設定温度以上の場合、前記カバーを閉状態或いは所定角度以上開かない状態に保持させることを特徴とする。
【００１５】
また、請求項１０に記載の発明は、キャリッジの移動領域を覆う開閉可能なカバーを備え、キャリッジを移動させて、このキャリッジに載置された記録ヘッドでシートに画像を記録する記録装置をコンピュータにより制御するための制御プログラムにおいて、前記カバーが閉状態から開操作されたか否かを判定し、前記カバーが閉状態から開操作され、かつ、前記記録ヘッドの温度が予め定めた設定温度以上の場合に、前記カバーを所定角度以上開かない状態に保持させることを特徴とする。
【００１６】
また、請求項１１に記載の発明は、請求項９又は１０に記載の構成において、前記カバーと記録装置本体とをロックするロック機構のロック解除操作子が操作されたか否かを判定し、該ロック解除操作子が操作され、かつ、前記記録ヘッドの温度が前記設定温度以上の場合に、前記ロック機構によるロックの解除を禁止させるロック解除禁止機構を作動させることを特徴とする。
【００１７】
また、請求項１２に記載の発明は、キャリッジの移動領域を覆う開閉可能なカバーを備え、キャリッジを移動させて、このキャリッジに載置された記録ヘッドでシートに画像を記録する記録装置をコンピュータにより制御するための制御プログラムを記録した記録媒体において、前記記録ヘッドの温度が予め定めた設定温度以上か否かを判定し、前記記録ヘッドの温度が前記設定温度以上の場合、前記カバーを閉状態或いは所定角度以上開かない状態に保持させるための制御プログラムを記録したことを特徴とする。
【００１８】
また、請求項１３に記載の発明は、キャリッジの移動領域を覆う開閉可能なカバーを備え、キャリッジを移動させて、このキャリッジに載置された記録ヘッドでシートに画像を記録する記録装置をコンピュータにより制御するための制御プログラムを記録した記録媒体において、前記カバーが閉状態から開操作されたか否かを判定し、前記カバーが閉状態から開操作され、かつ、前記記録ヘッドの温度が予め定めた設定温度以上の場合に、前記カバーを所定角度以上開かない状態に保持させるための制御プログラムを記録したことを特徴とする。
【００１９】
また、請求項１４に記載の発明は、請求項１２又は１３に記載の構成において、前記カバーと記録装置本体とをロックするロック機構のロック解除操作子が操作されたか否かを判定し、該ロック解除操作子が操作され、かつ、前記記録ヘッドの温度が前記設定温度以上の場合に、前記ロック機構によるロックの解除を禁止させるロック解除禁止機構を作動させるための制御プログラムを記録したことを特徴とする。
【００２０】
【発明の実施の形態】
以下、図面を参照して本発明の実施形態を詳述する。
（１）実施形態
図１は、本発明の記録装置の実施形態に係るプリンタ１０の側断面図であり、図２は、このプリンタ１０の外装カバー１１を外した状態を示す斜視図である。また、図３は、プリンタ１０のカバー１１ａを開けた状態を示す斜視図であり、図４は、図３に示すプリンタ１０の側面図である。
【００２１】
このプリンタ１０は、複数の記録ワイヤを選択的に打ち出す記録ヘッド２０と、この記録ヘッド２０が搭載されるキャリッジ３０とを備え、記録ヘッド２０から打ち出された記録ワイヤをシートに打ち付けることによって文字を含む画像を記録するドットインパクトプリンタである。なお、シートとしては、カットシート、連続シート、葉書等が用いられる。
【００２２】
図１に示すように、このプリンタ１０は、記録ユニットを構成するプリンタ本体１２と、トラクタユニット１３と、シートガイド１４と、排紙トレイ１６とを備え、これらが外装カバー１１で覆って構成されている。
【００２３】
プリンタ本体１２は、図１及び図２に示すように、記録ヘッド２０やキャリッジ３０等から構成される記録機構部２２と、プラテン２３やシート搬送ローラ２４、２５等から構成されるシート搬送機構部２６とを備える。
【００２４】
このプリンタ本体１２は、左サイドフレーム２７Ｌと右サイドフレーム２７Ｒとの間に、シート案内フレーム２８、プラテン２３、キャリッジガイド軸２９及びローラ軸２４ａ、２５ａを略平行に架け渡して構成されている。この右サイドフレーム２７Ｒは、シート搬送モータ３２及びキャリッジ駆動モータ３１を支持し、このシート搬送モータ３２が、輪列機構（不図示）を介してプラテン２３及びローラ軸２４ａ、２５ａを回転させる。これらプラテン２３及びローラ軸２４ａ、２５ａが回転することによって、シートがシートガイド１４及びシート案内フレーム２８に沿って搬送される。
【００２５】
キャリッジガイド軸２９は、キャリッジ３０を軸方向に移動可能に支持する。キャリッジ３０は、キャリッジ駆動ベルトに固定され、このキャリッジ駆動ベルトがキャリッジ駆動モータ３１によって駆動されることにより、キャリッジガイド軸２９の軸方向に往復動作（往復走行）する。
【００２６】
記録ヘッド２０は、キャリッジ３０に搭載され、キャリッジ３０がキャリッジガイド軸２９の軸方向に移動することにより、図２に示すように、主走査方向（矢印Ｘ方向）に移動する。この記録ヘッド２０は、複数の記録ワイヤを、プラテン２３に向けて打ち出す構成を備えている。
【００２７】
また、プリンタ本体１２には、図１に示すように、リボン巻き取り軸５０が取り付けられ、このリボン巻き取り軸５０は、モータ（不図示）で駆動されるリボンドライブユニット９０に連結されている。そして、このリボン巻き取り軸５０に対して、図３に示すように、リボンカートリッジ３８が着脱自在に装着され、このリボンカートリッジ３８のインクリボンが、記録ヘッド２０とプラテン２３との間に配置される。これにより、記録ヘッド２０は、キャリッジ３０により主走査方向に移動する間に、記録ワイヤを突出させてインクリボンに打ち当て、プラテン２３と記録ヘッド２０との間に搬送されたシートに一行分の文字等の画像を記録する。
【００２８】
トラクタユニット１３は、トラクタベルト１３Ａの回転によりシートをシート案内フレーム２８に向けて搬送する。ここで、外装カバー１１は、プリンタ１０のフロント側に開閉可能なカバー１５を備えており、このカバー１５を開くことにより、シートをトラクタユニット１３上にセットすることができる。
【００２９】
また、シートガイド１４は、シートを手差し給紙する際の手差しトレイとして機能すると共に、上記トラクタユニット１３により、シートがプリンタ１０のフロントから給紙された場合（フロント給紙の場合）は、シートの排紙トレイとして機能する。
【００３０】
以上の構成の下、記録ヘッド２０による記録動作は、記録ヘッド２０が、キャリッジ３０により主走査方向（矢印Ｘ方向）に移動される間に、記録ヘッド２０からの記録ワイヤの打ち出しにより一行分の記録がなされ、この一行分の記録がなされる度に、フロント給紙の場合は、トラクタユニット１３及びシート搬送機構部２６が、リア給紙（手差し給紙）の場合は、プラテン２３が、シートを所定長（通常行間分）搬送させ、これらの動作が繰り返されることにより実施される。
【００３１】
上述した記録ヘッド２０、キャリッジ駆動モータ３１及びシート搬送モータ３２の制御は、制御基板部４０（図１参照）が行う。この制御基板部４０は、図示しない記憶部に記憶されたプログラムを実行することによって、通信ケーブル４１を介して接続された外部機器（例えば、パーソナルコンピュータ）から受信した印刷データに基づいて印刷制御を行ったり、後述する各種制御などを行う。
【００３２】
プリンタ１０の外装カバー１１は、図１に示すように、記録ヘッド２０やリボンカートリッジ６０の上方を覆う開閉可能なカバー１１ａを備えている、これにより、使用者は、このカバー１１ａを開けることによってリボンカートリッジ６０を交換したり、各種メンテナンスが可能となっている。
【００３３】
ところで、記録ヘッド２０は、駆動中に発熱して高温になる場合がある。この高温の記録ヘッド２０に使用者の手などが触れると使用者が怪我をするおそれがある。そこで、本実施形態では、カバー１１ａを閉状態に固定する固定機構８０を備え、記録ヘッド２０が高温の場合に固定機構８０によりカバー１１ａを閉状態に固定するカバーロック制御を行う。以下、この固定機構８０及びカバーロック制御の詳細について説明する。
【００３４】
図５は、カバーロック制御のための構成を機能に則して示すブロック図である。この図において、温度センサ９０は、サーミスタなどが適用され、記録ヘッド２０の温度を検出して制御基板部４０に出力するものである。なお、この温度センサ９０は、従来のドットインパクトプリンタの記録ヘッドに一般に装備される温度センサが兼用される。すなわち、従来のドットインパクトプリンタは、この温度センサ９０によって記録ヘッドが高温か否かを検出し、記録ヘッドが高温の場合は記録速度を遅くして記録ヘッドの発熱を抑える発熱抑制制御を行っている。本実施形態では、制御基板部４０が、この発熱抑制制御に加えてカバーロック制御を行うようになっている。
【００３５】
また、カバー開閉検出センサ（検出手段）９１は、カバー１１ａが開状態か否かを検出して制御基板部４０に出力するものである。このカバー開閉検出センサ９１は、カバー１１ａの開操作を検出するセンサである。具体的には、カバー開閉検出センサ９１は、使用者がカバー１１ａが所定角度開かれたことを検出するセンサである。なお、このカバー開閉検出センサ９１は、接触式センサ又は非接触式センサのいずれも適用することができる。
【００３６】
固定機構８０は、図３及び図４に示すように、外装カバー１１のカバー１１ａを受ける部分１１ｂに設けられた電磁石８１と、カバー１１ａが閉状態の際に電磁石８１と対向する位置に設けられた電磁石８２とから構成される。これら電磁石８１、８２は、制御基板部４０の一部を構成する電磁石駆動部（駆動手段）４０Ａと配線を介して接続され、この電磁石駆動部４０Ａから供給される電流によって磁化される。この電磁石駆動部４０Ａは、これら電磁石８１、８２を互いに引きつけ合うように磁化させ、これによって、カバー１１ａが閉状態に固定されることとなる。なお、対向する電磁石８１、８２のうち一方を磁石に引きつけられる鉄等の磁性体にしてもよい。
【００３７】
次に実施形態の動作を説明する。図６は、カバーロック制御のシーケンスを示すフローチャートである。このシーケンスは、カバー開閉検出センサ９１の検出結果に基づいてカバー１１ａが開操作されたか否かを判定し、カバー１１ａが開操作されたことが検出されると実行されるシーケンスであり、記録動作中か否かに関わらず実行される。
【００３８】
まず、制御基板部４０は、温度センサ９０の検出結果に基づいて記録ヘッド２０の温度Ｔが予め定めた設定温度Ｔ０以上か否かを判定する（ステップＳ１）。ここで、設定温度Ｔ０は、この温度の記録ヘッド２０に使用者が触れると危険な温度の下限値である。
【００３９】
温度Ｔが設定温度Ｔ０より低いと判定した場合、制御基板部４０は、このシーケンスを終了する一方、温度Ｔが設定温度Ｔ０以上と判定した場合、制御基板部４０は、電磁石駆動部４０Ａを駆動することにより、カバー１１ａを閉状態に保持させる（ステップＳ２）。これにより、記録ヘッド２０の温度Ｔが設定温度Ｔ０以上の場合は、カバー１１ａが閉状態となり、使用者が高温の記録ヘッド２０に接触する場合を回避することができる。
【００４０】
次いで、制御基板部４０は、記録ヘッド２０の温度Ｔが設定温度Ｔ０より低くなったか否かを判定し（ステップＳ３）、温度Ｔが設定温度Ｔ０より低くなるまでこのステップＳ３の判定処理を所定周期で繰り返して待機する。そして、温度Ｔが設定温度Ｔ０より低くなったと判定すると、制御基板部４０は、電磁石駆動部４０Ａの駆動を停止する（ステップＳ４）。
【００４１】
このように、本実施形態によれば、記録ヘッド２０の温度Ｔ０が設定温度Ｔ０以上の間は、電磁石駆動４０Ａが駆動されてカバー１１ａを閉状態に固定するので、使用者が高温の記録ヘッド２０に接触する場合を確実に回避することが可能となっている。
【００４２】
（２）  変形例
上述した実施形態は、あくまで本発明の一態様にすぎず、本発明の範囲内で任意に変形が可能である。例えば、以下のような変形実施が可能である。
【００４３】
（２．１）
上述した実施形態において、ステップＳ１の判断において、温度Ｔが設定温度Ｔ０以上と判定した場合、制御基板部４０がブザー（不図示）を駆動して警告音を放音する放音処理、若しくは、記録ヘッド２０が高温である旨の情報を図示しない表示パネル（表示部）に表示する表示処理を行ってもよい。このような記録ヘッド２０が高温である旨を通知する通知処理を実行することによって、使用者に、高温の記録ヘッド２０に接触しないように注意を喚起することができる。
【００４４】
また、このような通知処理を行う場合、記録ヘッド２０の温度Ｔが設定温度Ｔ０より低くなるまでカバー１１ａを閉状態に保持させなくてもよい。すなわち、温度Ｔが設定温度Ｔ０より低くなったか否かを判定する処理（ステップＳ３）を省略して、カバー１１ａを閉状態に保持させる処理（ステップＳ２）及び上記通知処理を実行した後、直ぐにカバー１１ａを開閉可能な状態に戻してもよい。これにより、記録ヘッド２０の温度Ｔが高い場合、最初の開動作ではカバー１１ａを開けることはできないが、２回目の開動作でカバー１１ａを開けることが可能となり、使用者は安全にカバー１１ａを開けることができる。
【００４５】
また、カバー１１ａが開状態の際に記録ヘッド２０の温度Ｔが設定温度Ｔ０以上に上昇した場合にも、上記放音処理や表示処理を行ってもよい。
【００４６】
（２．２）
上述の各実施形態においては、カバー１１ａの開操作が行われた場合にカバーロック制御のシーケンスを実行する場合を説明したが、開操作の有無に関係なく、カバーロック制御のシーケンスを実行してもよい。この場合のカバーロック制御のシーケンスの一例を図７に示す。同図に示すように、制御基板部４０は、記録ヘッド２０の温度Ｔ０が設定温度Ｔ０以上か否かを判定し（ステップＳ１Ａ）、温度Ｔ０が設定温度Ｔ０以上と判定した場合は、電磁石駆動部４０Ａを駆動する（ステップＳ２Ａ）。一方、温度Ｔ０が設定温度Ｔ０より低いと判定した場合、電磁石駆動部４０Ａを駆動中の場合はその駆動を停止すればよい（ステップＳ３Ａ）。このシーケンスを所定周期で実行することにより、記録ヘッド２０の温度Ｔ０が設定温度Ｔ０以上の間はカバー１１ａを閉状態に固定させることができ、簡易な処理で使用者が高温の記録ヘッド２０に触れる場合を回避することができる。
【００４７】
（２．３）
また、プリンタ１０が、記録装置本体に設けられ、可動可能なフックをカバー１１ａに引っ掛ける等してカバー１１ａを閉状態にロック可能な一般的なロック機構を持ち、このロック機構のロックを解除するために操作されるロック解除操作子を有する場合は、カバー開閉検出センサ９１がその操作子の操作を検出するように構成すると共に、上記固定機構８０に代えて、そのロック機構のロックの解除を禁止するロック解除禁止機構を設けるようにすればよい。すなわち、カバーロック制御においては、カバー開閉検出センサ９１によりカバー１１ａが開操作されたか否かを判定し、カバー１１ａの開操作を検出した場合に、記録ヘッド２０の温度が設定温度以上のときは、ロック解除禁止機構によってロック機構のロックの解除を禁止すればよい。このロック解除禁止機構は、要は、制御基板部４０の制御の下、ロック解除用の操作子が操作されてもロック機構のロックが解除されないようにする機構であればよく、例えばロック機構のフック等の可動部の動作を規制する機構を採用すればよい。これにより、上記実施形態と同様に、使用者が高温の記録ヘッド２０に触れる場合を回避することができる。
【００４８】
（２．４）
また、上述の各実施形態においては、固定機構８０若しくはロック機構がカバー１１ａを全閉状態に固定する機構の場合について述べたが、カバー１１ａを予め定められた所定角度以上開かない角度に固定する機構、例えば、記録ヘッド２０に人体が接触することを防止可能な角度未満に固定する機構であってもよい。例えば、上記固定機構８０の電磁石８１及び８２を通電により吸着された状態でも、カバー１１ａが記録ヘッド２０に人体が接触しない程度まで開くように、プリンタ本体１２側に固定された電磁石８１を移動可能に構成すればよい。これによって、使用者は、高温の記録ヘッド２０に接触しない範囲でカバー１１ａを開けることが可能となる。なお、上記固定機構８０やロック機構は、電磁石を用いるものに限らず、稼働可能なフックによりカバー１１ａを閉状態に保持する機構などを広く適用することができる。
【００４９】
（２．５）
上述の各実施形態では、本発明をドットインパクトプリンタやインクジェットプリンタに適用する場合について述べたが、ファクシミリなどの他の記録装置に広く適用することができる。
【００５０】
（２．６）
上述の各実施形態では、カバーロック制御などを行うためのプログラムを記録装置に予め格納しておく場合について述べたが、このプログラムを磁気記録媒体、光記録媒体、半導体記録媒体などのコンピュータが読み取り可能な記録媒体に格納し、コンピュータが記録媒体からこのプログラムを読み取って実行するようにしてもよい。また、このプログラムをネットワーク上のサーバなどからダウンロードできるようにしてもよい。
【００５１】
【発明の効果】
上述したように本発明によれば、高温の記録ヘッドに人体が接触することを防止することができる。
【図面の簡単な説明】
【図１】本発明の記録装置の実施形態に係るプリンタの側断面図である。
【図２】同プリンタの外装カバーを外した状態を示す斜視図である。
【図３】同プリンタのカバーを開けた状態を示す斜視図である。
【図４】同プリンタのカバーを開けた状態を示す側面図である。
【図５】同プリンタのカバーロック制御のための構成を機能に則して示すブロック図である。
【図６】同プリンタのカバーロック制御のシーケンスを示すフローチャートである。
【図７】変形例に係るカバーロック制御のシーケンスを示すフローチャートである。
【符号の説明】
１０  プリンタ
１１  外装カバー
１１ａ  カバー
１２  プリンタ本体
１３  トラクタユニット
１４  シートガイド
１６  排紙トレイ
２０  記録ヘッド
２３  プラテン
３０  キャリッジ
３１  キャリッジモータ
３２  シート搬送モータ
４０  制御基板部
４０Ａ  電磁石駆動部
６０  リボンカートリッジ
８０  固定機構
８１、８２  電磁石
９０  温度センサ
９１  カバー開閉検出センサ
【図１】
2004351688.tif 000003
【図２】
2004351688.tif 000004
【図３】
2004351688.tif 000005
【図４】
2004351688.tif 000006
【図５】
2004351688.tif 000007
【図６】
2004351688.tif 000008
【図７】
2004351688.tif 000009